【手続補正書】
【提出日】平成19年5月23日(2007.5.23)
【手続補正１】
【補正対象書類名】特許請求の範囲
【補正対象項目名】請求項１
【補正方法】変更
【補正の内容】
【請求項１】
少なくとも貨幣の真偽を判別する複数の貨幣識別ユニット(102)と、
前記貨幣識別ユニットのそれぞれに接続された子処理ユニット(140)と、
前記子処理ユニットのそれぞれに接続された子無線通信ユニット(150)と、
少なくとも貨幣情報の記憶部を有する親処理ユニット(156)と、
前記親処理ユニットに接続され、かつ、前記子無線通信ユニットと通信を行う親無線通信ユニット(154)とを含むゲーム場の管理システムにおいて、
前記子処理ユニットは前記貨幣情報及びチェック情報を親無線通信ユニットに送信する子送信プロセス(CSP)を実行し、
前記親無線通信ユニットは前記子無線通信ユニットとの通信チャンネルを確立する通信チャンネル確立プロセス(CDP)、及び、前記子送信プロセスにおいて受け取った貨幣情報に対応するチェック情報の真偽をチェックするチェックプロセス(CCP)を実行し、
前記親処理ユニットは前記チェックプロセスにおいて真正と判別されたチェック情報に対応する貨幣情報を親処理ユニットにストアするストアプロセス(STP)を実行することを特徴とするゲーム場の管理システム。
【手続補正２】
【補正対象書類名】明細書
【補正対象項目名】０００６
【補正方法】変更
【補正の内容】
【０００６】
この目的を達成するため、請求項１の発明にかかるゲーム場の管理システムは次のように構成されている。
少なくとも貨幣の真偽を判別する複数の貨幣識別ユニット(102)と、前記貨幣識別ユニットのそれぞれに接続された子処理ユニット(140)と、前記子処理ユニットのそれぞれに接続された子無線通信ユニット(150)と、少なくとも貨幣情報の記憶部を有する親処理ユニット(156)と、前記親処理ユニットに接続され、かつ、前記子無線通信ユニットと通信を行う親無線通信ユニット(154)とを含むゲーム場の管理システムにおいて、前記子処理ユニットは前記貨幣情報及びチェック情報を親無線通信ユニットに送信する子送信プロセス(CSP)を実行し、前記親無線通信ユニットは前記子無線通信ユニットとの通信チャンネルを確立する通信チャンネル確立プロセス(CDP)、及び、前記子送信プロセスにおいて受け取った貨幣情報に対応するチェック情報の真偽をチェックするチェックプロセス(CCP)を実行し、前記親処理ユニットは前記チェックプロセスにおいて真正と判別されたチェック情報に対応する貨幣情報を親処理ユニットにストアするストアプロセス(STP)を実行することを特徴とするゲーム場の管理システムである。
【手続補正３】
【補正対象書類名】明細書
【補正対象項目名】００３１
【補正方法】変更
【補正の内容】
【００３１】
ホストコンピュータ１６２は、第1親処理ユニット１５６Ａ及び第2親処理ユニット１５６Ｂからの貨幣情報に基づいて所定の処理を行う。
ホストコンピュータ１６２は、ホストクロック１６６のクロック信号に基づいて前記所定の処理を行う。
このホストクロック１６６は、親クロック１５９Ａ、１５９Ｂ及び子内部クロック１４９と同一周波数であるが、個体差により僅かなずれを生じるものである。
【手続補正４】
【補正対象書類名】明細書
【補正対象項目名】００４４
【補正方法】変更
【補正の内容】
【００４４】
まず、ステップS21において、前記５つの無線チャンネル中の第1チャンネルPCH1を選択する。
次にステップS22において、アンテナ156Aからの受信信号に所定のフィルタをかけ、チャンネルＣCH1の電波の有無をチェックする。
次にステップS23において、ステップS22においてチャンネルＣCH1の電波を識別した場合、チャンネルＣCH1の周波数は使用中であると判定し、ステップS24に進む。
【手続補正５】
【補正対象書類名】明細書
【補正対象項目名】００４６
【補正方法】変更
【補正の内容】
【００４６】
ステップS26において、エラー信号を出力し、ステップS27に進んで待機状態になる。
ステップS22に戻った場合、チャンネルＣCH2の電波の使用をチェックする。
本実施例においては、５番目のチャンネルＣCH5が使用していないものとする。
したがって、ステップS22において、チャンネルＣCH5が使用されていない場合、ステップS29に進む。
【手続補正６】
【補正対象書類名】明細書
【補正対象項目名】００４８
【補正方法】変更
【補正の内容】
【００４８】
ステップS29において、チャンネルＣCH5の電波をオンにした後、ステップS30に進む。
ステップS30において、チャンネル固定信号FFを親通信ユニット154A及びアンテナ156Aを介して無線送信する。
チャンネル固定信号FFは、例えば、チャンネルＣCH5を表す、「５」を出力し続ける。
【手続補正７】
【補正対象書類名】明細書
【補正対象項目名】００５４
【補正方法】変更
【補正の内容】
【００５４】
子処理ユニット１４０のMPU１４２は、 子内部クロック１４９の子クロック信号ＣＣＬに基づいて図6に示す送信要求プロセスＣＲＰを行う。
具体的には、ステップＳ４１において、無線のチャンネルをＣＣＨ１に設定し、ステップＳ４２に進む。
ステップＳ４２において、チャンネルＣＣＨ１のチャンネル固定信号ＦＦをチェックし、ステップＳ４３に進む。
【手続補正８】
【補正対象書類名】明細書
【補正対象項目名】００５５
【補正方法】変更
【補正の内容】
【００５５】
ステップS43において、チャンネルＣCH1の固定信号FFが存在しない場合、換言すればチャンネルＣCH1が使用中の場合、ステップS44に進み、無線チャンネルを次のチャンネルCCH2に設定し、ステップS45に進む。
ステップS45において、設定チャンネル数を超えた場合、ステップS46に進む。
ステップS46において、エラー信号を出力した後、ステップS47に進み、待機状態になる。
【手続補正９】
【補正対象書類名】明細書
【補正対象項目名】００５６
【補正方法】変更
【補正の内容】
【００５６】
ステップS45において、チャンネルが所定チャンネル数以内の場合、ステップS42に戻り、チャンネルＣCH2のチャンネル固定信号FFをチェックする。
前述のように、チャンネルCCH1からCCH4が使用され、チャンネルCCH5のチャンネル固定信号FFが「5」が出力されている場合、ステップS48に進み、チャンネルＣCH5の電波を受信し、ステップS49に進む。
【手続補正１０】
【補正対象書類名】明細書
【補正対象項目名】００５７
【補正方法】変更
【補正の内容】
【００５７】
ステップS49において、子チャンネル固定信号CFFを出力する。
換言すれば、チャンネルＣCH5に相当する「5」を子通信ユニット150からアンテナ152を介して発信し、ステップS50に進む。
これにより、チャンネルＣCH5は親処理ユニット156Aと子処理ユニット140との無線送信に固定される。
このステップS41からS49が子送信要求プロセスCRPである。
また、前記親要求プロセスPRPと子送信要求プロセスCRPとにより、通信チャンネル確定プロセスCDPを構成する。
【手続補正１１】
【補正対象書類名】明細書
【補正対象項目名】００５８
【補正方法】変更
【補正の内容】
【００５８】
通信チャンネル確定プロセスCDPにおいて、通信チャンネルＣCH5によって無線回線を確立した後、引き続き貨幣情報及びその他情報を子処理ユニット140から第１親処理ユニット156Aに送信する。
すなわち、ステップS50において、予めゲーム機100-1、換言すれば、コイン識別ユニット104に対して定められた識別ID(Identification
bracelet)、例えば104-1を出力する。
親処理ユニット156Aは、ステップS31において、識別ID104-1を受信し、親MPU158AのRAＭに記憶する。
【手続補正１２】
【補正対象書類名】明細書
【補正対象項目名】００６０
【補正方法】変更
【補正の内容】
【００６０】
次にステップS52において、所定の処理で出力したチェック情報であるCRC信号(Cyclic Redundancy Check Code)を送信し、ステップS53に進む。
ステップS53において、チャンネルＣCH5の電波がオフにされ、無線送信プロセスを終了する。
したがって、ステップS50からS53が子送信プロセスCSPである。